(57)【要約】【課題】高反発のフェース部を備えたゴルフクラブヘッドを提供する。【解決手段】ゴルフクラブヘッドが提供される。前記ゴルフクラブヘッドは、ボールを打撃するためのフェース部と、前記フェース部に連続するソール部、クラウン部及びサイド部を有する中空のヘッド本体とを備える。前記ヘッド本体には、前記フェース部の周辺部において、前記フェース部からバック側に間隔を空けて、中空の凸部が形成されている。【選択図】図４
2016047183.tif 000002
【特許請求の範囲】
【請求項１】
ボールを打撃するためのフェース部と、
前記フェース部に連続するソール部、クラウン部及びサイド部を有する中空のヘッド本体と
を備えるゴルフクラブヘッドであって、
前記ヘッド本体には、前記フェース部の周辺部において、前記フェース部からバック側に間隔を空けて、中空の凸部が形成されている、
ゴルフクラブヘッド。
【請求項２】
前記ヘッド本体において、前記凸部のフェース−バック方向の両側の部位は、概ね面一に形成されている、
請求項１に記載のゴルフクラブヘッド。
【請求項３】
前記凸部は、前記ソール部に形成されている、
請求項１又は２に記載のゴルフクラブヘッド。
【請求項４】
前記ソール部は、アドレス時の基準状態において、前記凸部と、前記ソール部の前記凸部以外の所定の領域とで、平坦な地面に接地するように構成されている、
請求項３に記載のゴルフクラブヘッド。
【請求項５】
前記凸部は、前記サイド部に形成されている、
請求項１から４のいずれかに記載のゴルフクラブヘッド。
【請求項６】
前記凸部は、前記クラウン部に形成されている、
請求項１から５のいずれかに記載のゴルフクラブヘッド。
【請求項７】
前記凸部は、プレス製法で形成されている、
請求項１から６のいずれかに記載のゴルフクラブヘッド。
【請求項８】
前記凸部は、鍛造製法で形成されている、
請求項１から６のいずれかに記載のゴルフクラブヘッド。
【請求項９】
前記ヘッド本体の内面において、前記フェース部の裏面から前記凸部までの距離は、１．０〜２５．０ｍｍの範囲内である、
請求項１から８のいずれかに記載のゴルフクラブヘッド。
【発明の詳細な説明】
【技術分野】
【０００１】
本発明は、ゴルフクラブヘッドに関する。
【背景技術】
【０００２】
ゴルフクラブヘッドの設計において、ボールを打撃するフェース部の反発係数を向上させることは、飛距離を伸ばす観点から非常に重要である。そのため、従来、フェース部の反発係数を向上させるための様々な鋭意努力が為されてきており、例えば、フェース部を薄肉化することが行われている（特許文献１参照）。
【先行技術文献】
【特許文献】
【０００３】
【特許文献１】特開２０１０−５３０７８３号公報
【発明の概要】
【発明が解決しようとする課題】
【０００４】
しかしながら、フェース部はボールの打撃面であるから、強度の観点からすると、薄肉化には限界がある。そこで、本発明者は、フェース部の反発係数を向上させるためには、フェース部の薄肉化以外のアプローチも必要であると考えた。
【０００５】
本発明は、高反発のフェース部を備えたゴルフクラブヘッドを提供することを目的とする。
【課題を解決するための手段】
【０００６】
本発明の第１観点に係るゴルフクラブヘッドは、ボールを打撃するためのフェース部と、前記フェース部に連続するソール部、クラウン部及びサイド部を有する中空のヘッド本体とを備える。前記ヘッド本体には、前記フェース部の周辺部において、前記フェース部からバック側に間隔を空けて、中空の凸部が形成されている。
【０００７】
本発明の第２観点に係るゴルフクラブヘッドは、第１観点に係るゴルフクラブヘッドであって、前記ヘッド本体において、前記凸部のフェース−バック方向の両側の部位は、概ね面一に形成されている。
【０００８】
本発明の第３観点に係るゴルフクラブヘッドは、第１観点又は第２観点に係るゴルフクラブヘッドであって、前記凸部は、前記ソール部に形成されている。
【０００９】
本発明の第４観点に係るゴルフクラブヘッドは、第３観点に係るゴルフクラブヘッドであって、前記ソール部は、アドレス時の基準状態において、前記凸部と、前記ソール部の前記凸部以外の所定の領域とで、平坦な地面に接地するように構成されている。
【００１０】
本発明の第５観点に係るゴルフクラブヘッドは、第１観点から第４観点のいずれかに係るゴルフクラブヘッドであって、前記凸部は、前記サイド部に形成されている。
【００１１】
本発明の第６観点に係るゴルフクラブヘッドは、第１観点から第５観点のいずれかに係るゴルフクラブヘッドであって、前記凸部は、前記クラウン部に形成されている。
【００１２】
本発明の第７観点に係るゴルフクラブヘッドは、第１観点から第６観点のいずれかに係るゴルフクラブヘッドであって、前記凸部は、プレス製法で形成されている。
【００１３】
本発明の第８観点に係るゴルフクラブヘッドは、第１観点から第６観点のいずれかに係るゴルフクラブヘッドであって、前記凸部は、鍛造製法で形成されている。
【００１４】
本発明の第９観点に係るゴルフクラブヘッドは、第１観点から第８観点のいずれかに係るゴルフクラブヘッドであって、前記ヘッド本体の内面において、前記フェース部の裏面から前記凸部までの距離は、１．０〜２５．０ｍｍの範囲内である。
【発明の効果】
【００１５】
本発明によれば、ヘッド本体には、フェース部の周辺部においてフェース部からバック側に所定の間隔を空けた位置に、中空の凸部が形成されている。その結果、当該凸部付近の部位の剛性が低くなり、当該部位が撓み易くなる。従って、フェース部の反発係数が向上する。
【図面の簡単な説明】
【００１６】
【図１】第１実施形態に係る基準状態でのゴルフクラブヘッドの斜視図。
【図２】基準状態でのゴルフクラブヘッドの平面図。
【図３】フェース部の境界を説明する図。
【図４】基準状態でのゴルフクラブヘッドの正面図。
【図５】基準状態でのゴルフクラブヘッドの側面図。
【図６】基準状態でのゴルフクラブヘッドの側方断面図。
【図７】図６中の円Ｃ内の領域の部分拡大図。
【図８】第１実施形態に係るゴルフクラブヘッドにおけるフェース面上の反発係数の向上を説明する図。
【図９】変形例に係る基準状態でのゴルフクラブヘッドの正面図。
【図１０】別の変形例に係る基準状態でのゴルフクラブヘッドの正面図。
【図１１】さらに別の変形例に係る基準状態でのゴルフクラブヘッドの正面図。
【図１２】変形例に係るゴルフクラブヘッドにおけるフェース面上の反発係数の向上を説明する図。
【図１３】さらに別の変形例に係る基準状態でのゴルフクラブヘッドの正面図。
【図１４】さらに別の変形例に係る基準状態でのゴルフクラブヘッドの正面図。
【図１５】さらに別の変形例に係る基準状態での凸部付近の側方断面図。
【発明を実施するための形態】
【００１７】
以下、図面を参照しつつ、本発明の一実施形態に係るゴルフクラブヘッドについて説明する。
【００１８】
＜１．ゴルフクラブヘッドの概要＞
図１は、本実施形態に係るゴルフクラブヘッド（以下、単に「ヘッド」ということがある）１００の基準状態での斜視図であり、図２は、ヘッド１００の基準状態での平面図である。なお、ゴルフクラブヘッドの基準状態については、後述する。ヘッド１００は、中空構造体を構成しており、当該中空構造体は、互いに連続するフェース部１、クラウン部２、ソール部３、サイド部４、及びホーゼル部５によって壁面が形成されている。ヘッド１００は、ドライバー（＃１）又はフェアウェイウッドといったウッド型であるが、後述する凸部１０の構造を適用可能なゴルフクラブヘッドのタイプは限定されず、いわゆるユーティリティ型及びハイブリッド型等であってもよいし、アイアン型であってもよい。
【００１９】
フェース部１は、ボールを打撃するフェース面を有し、ヘッド１００の前方部分を構成する。フェース面は、概ね平坦である。クラウン部２は、フェース部１と隣接し、ヘッド１００の上面を構成する。ソール部３は、ヘッド１００の底面を構成し、フェース部１及びサイド部４と隣接する。また、サイド部４は、クラウン部２とソール部３との間の部位であり、フェース部１のトゥ側からヘッド１００のバック側を通り、フェース部１のヒール側へと延びる部位である。以下、サイド部４のうち、特にトゥ側の部位をサイド部４ａと呼び、ヒール側の部位をサイド部４ｂと呼ぶ。さらに、ホーゼル部５は、クラウン部２のヒール側に隣接して設けられる部位であり、ゴルフクラブのシャフト（図示省略）が挿入される挿入孔５１を有している。
【００２０】
ここで、上述した基準状態について説明する。図１及び図２に示すように、上記挿入孔５１の中心軸線Ｚが水平面Ｈ（図５参照）に対して垂直な平面Ｄ１（以下、基準垂直面Ｄ１）に含まれ、且つ所定のライ角となりフック角が０°となるときに水平面Ｈ上にヘッド１００が載置された状態を、基準状態と規定する。また、図２に示すように、基準垂直面Ｄ１と水平面Ｈとの交線の方向をトゥ−ヒール方向と称し、このトゥ−ヒール方向に対して垂直であり且つ水平面Ｈに対して平行な方向をフェース−バック方向と称する。また、水平面Ｈに対して垂直な方向をトップ−ソール方向と称する。また、特に断らない限り、以下で「上下」というときには、トップ−ソール方向を意味し、特に、ソール側が下、トップ側が上を示すものとする。
【００２１】
ヘッド１００は、例えば、比重が４．０〜５．０程度のチタン合金（例えば、Ｔｉ−６Ａｌ−４Ｖ）で形成することができる。また、チタン合金以外にも、例えばステンレス鋼、マレージング鋼、アルミ合金、マグネシウム合金、またはアモルファス合金等の中から１種または２種以上を用いて形成することもできる。また、金属材料に限らず、繊維強化プラスチック等で形成することもできる。
【００２２】
以下では、ヘッド１００においてフェース部１を除いた部位を、ヘッド本体６と呼ぶ。このとき、フェース部１とヘッド本体６との境界は、次のように定義することができる。すなわち、図３（ａ）に示されるように、ヘッド１００の重心ＧとスイートスポットＳＳとを結ぶ直線Ｎを含む各断面Ｅ１，Ｅ２，Ｅ３，…において、図３（ｂ）に示されるように、フェース部１の外面の輪郭線Ｌｆの曲率半径ｒがスイートスポットＳＳ側からフェース部１の外側に向かって初めて２００ｍｍとなる位置Ｐｅが、フェース部１の周縁（境界）として定義される。なお、スイートスポットＳＳとは、ヘッド１００の重心Ｇからフェース面に下した垂線の足である。
【００２３】
本実施形態に係るヘッド１００は、ヘッド本体６と、フェース部１とを組み立てることで構成される。ヘッド本体６とフェース部１とは、例えば、溶接により接合される。ヘッド本体６は、クラウン部２、ソール部３及びサイド部４で囲まれた開口を有し、この開口を塞ぐようにフェース部１が取り付けられる。このようなヘッド本体６及びフェース部１は、種々の方法で作製することができる。例えば、ヘッド本体６は、公知のロストワックス精密鋳造法などの鋳造によって製造することができる。フェース部１は、例えば、鍛造製法により製造することができる。また、ヘッド本体６は、複数の部品から組み立てることもできるし、一体的な一部品として形成することもできる。また、フェース部１は、１つの部品として、ヘッド本体６から独立している必要はない。すなわち、ヘッド１００は、上述したフェース部１及びヘッド本体６の境界の位置に捉われず、適宜複数の部品に分割することができる。
【００２４】
＜２．凸部の構造＞
図４は、基準状態のヘッド１００の正面図（フェース面側から見た図）であり、図５は、基準状態のヘッド１００の側面図である。図４及び図５に示すように、ソール部３には、フェース部１の周辺部において、凸部１０が形成されている。この凸部１０は、フェース部１の反発係数を向上させる役割を果たすものである。以下、この凸部１０の構造について詳細に説明する。
【００２５】
図５に示すとおり、凸部１０は、ソール部３のその他の部位の下面から下方に突出しており、フェース部１のソール側の境界線に概ね平行に、トゥ側からヒール側へと延びている。また、凸部１０の下端縁は、正面視において、下に凸の円弧状の線を描いている。なお、基準状態において凸部１０の水平面Ｈとの接点Ｐ０（後述する点Ｐ１と略一致する点である。）は、正面視においてフェースセンターＦＣの概ね下方に位置する。フェースセンターＦＣは、フェース面の幾何学重心であり、通常、スイートスポットＳＳ近傍に位置する。
【００２６】
図６は、点Ｐ０を通り、トップ−ソール方向に延びる平面（以下、平面Ｄ２）におけるヘッド１００の断面図であり、図７は、図６中の円Ｃ内の領域の部分拡大図である。図６及び図７に示すように、凸部１０は、中空構造である。なお、凸部１０は、トゥ−ヒール方向に延びているが、平面Ｄ２に平行などの断面で切っても、概ね同様の形状を有している。従って、図７を参照して後述される凸部１０の各種寸法は、凸部１０のフェース−バック方向の他の断面においても概ね当てはまる。また、凸部１０は、フェース部１からバック側に所定の間隔を空けて配置されている。本実施形態では、ソール部３における凸部１０のフェース−バック方向の両側の部位（以下、フェース側部２０ａ及びバック側部２０ｂ）は、概ね面一である。言い換えると、ソール部３は、凸部１０を除き、図５に示すとおり側面視において、緩やかな下に凸の円弧状である。その結果、ソール部３は、基準状態において、凸部１０と、ソール部３において凸部１０よりもバック側の部位の２箇所で、水平面Ｈに接触する。これにより、ゴルフクラブヘッド１００が基準状態となるようにゴルフクラブを構えるアドレス時において、ヘッド１００が平坦な地面に２箇所で支えられることになり、バランスがとり易くなっている。
【００２７】
凸部１０は、様々な方法で形成することが可能であり、プレス製法で形成することもできるし、鍛造製法で形成することもできる。凸部１０は、ヘッド本体６のその他の部位と一体に形成することも可能であるし、独立して形成することも可能である。
【００２８】
凸部１０は、フェース側部２０ａからバック側部２０ｂの間を順に延びる部位１０ａ〜１０ｅに仮想的に分割することができる。部位１０ａは、下に凸のフェース側部２０ａのバック側の端部に連続する、上に凸の円弧状の部位である。部位１０ｂは、部位１０ａのバック側の端部に連続する、直線状に延びる部位である。部位１０ｃは、部位１０ｂのバック側の端部に連続する、下に凸の円弧状の部位である。部位１０ｄは、部位１０ｃのバック側の端部に連続する、直線状に延びる部位１０ｄである。部位１０ｅは、部位１０ｄのバック側に連続する、上に凸の円弧状の部位である。部位１０ｅのバック側の端部は、下に凸のバック側部２０ｂのフェース側の端部に連続している。
【００２９】
図７には、説明のため、フェース側部２０ａ及びバック側部２０ｂの輪郭線を結ぶように滑らかに湾曲しながら延びる仮想線Ｌ１，Ｌ２（Ｌ１は、下面側、Ｌ２は上面側）が、２点鎖線で示されている。以下では、平面Ｄ２上において、仮想線Ｌ１から最も離れた凸部１０の頂点をＰ１と称し、ソール部３の上面における部位１０ａとフェース側部２０ａとの境界の点をＰ２と称し、ソール部３の上面における部位１０ｅとバック側部２０ｂと境界の点をＰ３と称する。また、平面Ｄ２上において、フェース部１の裏面とソール部３の上面の境界であるエッジ点をＰ４と称する。
【００３０】
このとき、点Ｐ１と直線Ｌ１との距離ｈ１は、２.０〜８.０ｍｍであることが好ましく、４.０〜６.０ｍｍであることがより好ましく、本実施形態では、ｈ１＝６.０ｍｍである。Ｐ２，Ｐ３間の距離ｗ１は、２．０〜１０．０ｍｍであることが好ましく、４.０〜８.０ｍｍであることがより好ましく、本実施形態では、ｗ１＝９．０ｍｍである。また、Ｐ２，Ｐ４間の距離ｗ２は、０．０〜３０．０ｍｍであることが好ましく、１．０〜２５．０ｍｍであることがより好ましく、３．０〜２０．０ｍｍであることがより好ましく、本実施形態では、ｗ２＝３．５ｍｍである。なお、以上の数値は全て例示であり、耐久性と反発性能の関係に応じてこれらｈ１，ｗ１，ｗ２の値を上記範囲外でも設計する事がありうる。
【００３１】
さらに、基準状態における平面Ｄ２上において、点Ｐ２から水平面Ｈに下した垂線と、部位１０ｂの外側の面との為す角度θ１は、θ１＝０〜４５°であることが好ましく、θ１＝１０〜３５°であることがより好ましく、本実施形態では、θ１＝１５°である。また、基準状態における平面Ｄ２上において、点Ｐ３から水平面Ｈに下した垂線と、部位１０ｄの外側の面との為す角度θ２は、θ２＝０〜４５°であることが好ましく、θ２＝１０〜３５°であることがより好ましく、本実施形態では、θ２＝２８．５°である。なお、前述のようにアドレス時にヘッド１００が平坦な地面に２箇所で支えられるようにするような、θ１およびθ２の角度の組み合わせを選択することが好ましい。
【００３２】
以上説明したとおり、本実施形態に係るゴルフクラブヘッド１００のヘッド本体６には、フェース部１の周辺部において、フェース部１からバック側に所定の間隔を空けた位置に、中空の凸部１０が形成されている。その結果、凸部１０付近の部位の剛性が低くなり、当該部位が撓み易くなっている。従って、フェース部１の反発係数が高められ、フェース部１における高反発エリアが広がっている。図８（ｂ）は、上記ヘッド１００のフェース面上における反発係数の分布を示す概念図である。図８（ａ）は、上記ヘッド１００において凸部１０を省略し、代わりに仮想線Ｌ１，Ｌ２に沿うようにソール部３を拡張した場合の、ゴルフクラブヘッドのフェース面上における反発係数の分布を示す概念図である。すなわち、フェース部１上においてスイートスポットＳＳを含む中央領域程、反発係数が高く設計されており、外側に向かうにつれて、徐々に反発係数が低下するようになっている。図８（ａ）及び図８（ｂ）に示されるように、ソール部３において、スイートスポットＳＳの下方に設けられた凸部１０の存在により、フェース面における高反発エリアが、スイートスポットＳＳの下方に拡大する。なお、図８においては、参考のため、スイートスポットＳＳを通り、トゥ−ヒール方向及びトップ−ソール方向に延びる補助線が示されている。後述される図１２についても、同様である。
【００３３】
＜３．変形例＞
以上、本発明の一実施形態について説明したが、本発明は上記実施形態に限定されるものではなく、その趣旨を逸脱しない限りにおいて、種々の変更が可能である。例えば、以下の変更が可能である。また、以下の変形例の要旨は、適宜組み合わせることができる。
【００３４】
＜３−１＞
反発係数を向上させるための凸部１０の位置は、上述したものに限られない。フェース部１の周辺部に凸部１０を設ける場合には、フェース部１上において、スイートスポットＳＳから凸部１０に向かうエリアを中心に、反発係数の向上が期待される。従って、同様の凸部１０は、ヘッド本体６上であって、フェース部１の周辺部であれば、反発係数を向上させたいエリアの位置に併せて、任意の箇所に形成することができる。ただし、ゴルフクラブヘッド１００の美観（デザイン性）を損なわないようにする観点からは、凸部１０は、人目につきにくい、ソール部３に設けることが好ましい。
【００３５】
具体的には、図９に示すように、凸部１０を、ソール部３上のヒール側には形成せず、ソール部３上のトゥ側の位置に形成することができる。また、図１０及び図１１に示すように、凸部１０をサイド部４に形成することもできる。図１０の例は、サイド部４のトゥ側にのみ凸部１０を形成した例であり、図１１の例は、サイド部４のトゥ側及びヒール側の両方に凸部１０を形成した例である。もちろん、サイド部４のヒール側にのみ凸部１０を形成することもできる。図１２（ａ）は、図１０の例において、凸部１０を省略した場合の、ゴルフクラブヘッドのフェース面上における反発係数の分布を示す概念図である。また、図１２（ｂ）は、図１０の例のフェース面上における反発係数の分布を示す概念図である。図１２に示すように、図１０の例では、フェース部１上において、スイートスポットＳＳからトゥ側やや下方に向かうエリアを中心に、反発係数が向上する。その他、凸部１０は、クラウン部２に設けることもできる。
【００３６】
また、図１３に示すように、ヘッド本体６において、凸部１０を設けつつ、フェース部１の周辺部に凹部１１を設けてもよい。このような凹部１１によっても同様に、凹部１１付近の部位の剛性が低くなり、当該部位が撓み易くなるため、フェース部１の反発係数の向上が期待される。しかしながら、凹部１１の場合には、土や水が入り込んでしまう虞があるため、かかる観点からは、凹部１１よりも凸部１０を設けることが好ましい。
【００３７】
＜３−２＞
凸部１０の形状は、上述したものに限られず、例えば、凸部１０の突出方向の先端縁の形状を直線状ではなく、図１４に示すように波線状に形成することもできるし、鋭利なギザギザに形成することもできる。また、図１５に示すように、凸部１０が側面視において分岐しており、基準状態において２点で水平面Ｈに接地するように構成することもできる。また、上記実施形態に係る凸部１０は、基準状態において、側面視においてやや前方下方へ傾斜していたが、真下に延びてもよいし、後方下方へ傾斜していてもよい。また、凸部１０は基準状態において、水平面Ｈに接することなく、後方のソール部３のみが水平面Ｈと接しても良い。
【００３８】
＜３−３＞
凸部１０はヘッド本体６とは異なる材料により形成することもできる。
【符号の説明】
【００３９】
１  フェース部
２  クラウン部
３  ソール部
４  サイド部
６  ヘッド本体
１０  凸部
１００  ゴルフクラブヘッド
【図１】
2016047183.tif 000003
【図２】
2016047183.tif 000004
【図３】
2016047183.tif 000005
【図４】
2016047183.tif 000006
【図５】
2016047183.tif 000007
【図６】
2016047183.tif 000008
【図７】
2016047183.tif 000009
【図８】
2016047183.tif 000010
【図９】
2016047183.tif 000011
【図１０】
2016047183.tif 000012
【図１１】
2016047183.tif 000013
【図１２】
2016047183.tif 000014
【図１３】
2016047183.tif 000015
【図１４】
2016047183.tif 000016
【図１５】
2016047183.tif 000017